(57)【要約】【課題】カード式錠ユニットを用いた南京錠であって、シャックルが施錠位置になければキーカードを取り出すことができず、コードカードの交換も簡単にできるようにした南京錠を提供する。【解決手段】シャックル３を出没可能に設けたケース１内に、脱着可能に錠本体２を設ける。錠本体にはカード式錠ユニット１４が組み込まれ、シャックルの係合凹部１１に係合可能なボール１８と、該ボールを出没させるロックプレート１９が設けられ、ロックプレートはキーカード１５により移動するスライダに連結されている。ロックプレートは、シャックルが施錠位置になければ移動させることができず、結果としてスライダが移動しないので、キーカードを取り出すことができない。【選択図】図２
2015063874.tif 000002
【特許請求の範囲】
【請求項１】
シャックルの基端部を受け入れる基端受孔とシャックルの先端部を受け入れる先端受孔を有するケース内に、カード式錠ユニットを組み込んだ錠本体を脱着可能に挿入し、該錠本体に上記基端受孔と先端受孔に対向するボール収納孔を形成し、該ボール収納孔内に外方に移動したとき上記シャックル基端部及びシャックル先端部に形成した係合凹部に係合し内方に移動したとき該係合凹部から抜け出すようボールを転動可能に収納し、上記ボール間に上記ボールを外方に押圧する突出カム面とボールが内方に移動することを許容する引込カム面を有するロックプレートを移動可能に設け、上記カード式錠ユニットに適正なキーカードが差し込まれた際移動するスライダに上記ロックプレートを連結し、上記ボールがロックプレートの引込カム面にあるとき該ボールの側面が当接してボールが外方に移動されないよう上記シャックルの基端部に当接面を設けたことを特徴とする南京錠。
【請求項２】
上記ロックプレートの上記引込カム面と突出カム面は、カード式錠ユニットのスライダが押し込まれてロックプレートが上昇すると引込カム面がボールに対向し、スライダが引き戻されてロックプレートが降下すると突出カム面がボールに対向してボールを外方に押圧するようロックプレートの移動方向に沿って連続して設けられている請求項１に記載の南京錠。
【請求項３】
上記ケースに係止部を形成し、上記錠本体に該係止部に係合可能な係止爪を一端に設けたラッチ杆を移動可能に設け、錠本体をケースに挿入した際上記係止爪が上記係止部に係合するよう上記ラッチ杆を付勢し、ラッチ杆の他端に上記シャックルの当接面に対向するストッパー面を設け、上記シャックルに該シャックルが開錠位置に移動した際上記ストッパー面を受け入れる受け面を形成し、上記シャックルが開錠位置に移動したとき上記係止爪をケースの係止部から離れる方向に上記ラッチ杆を移動可能なラッチ操作片を上記錠本体に設けたことを特徴とする請求項１又は２に記載の南京錠。
【請求項４】
上記ラッチ操作片は錠本体に枢着したベルクランクであり、一端の部片はラッチ杆の切欠き部に係合し、他端の部片は錠本体の底部に沿って延び、錠本体には該他端の部片に対向して孔が設けられている請求項１から３のいずれかに記載の南京錠。
【請求項５】
上記錠本体はケースに挿入したとき内方ばねにより脱出方向に付勢されている請求項１から４のいずれかに記載の南京錠。
【発明の詳細な説明】
【技術分野】
【０００１】
本発明は、キーカードを用いて開閉できるようにした南京錠に関するものである。
【背景技術】
【０００２】
南京錠に用いる錠装置としては、キー操作で錠シリンダーを回動させてシャックルに係合するボール等のロック部材を出没させる錠(例えば特許文献１参照)が広く知られており、キーカードで操作するカード錠式の南京錠も提案されている
(例えば特許文献２参照)。キーカードを用いる南京錠は、ケース内にカード錠式ユニットが設けられている。特許文献２に詳述されているように、カード式錠ユニットは、内部にコードカードをセットしておき、このコードカードに対応する適正なキーカードをユニットに差し込んだ際、内部に設けられているピンによるシャーラインが形成されてスライダが移動可能になり、このスライダに従動するロック部材がシャックルから外れることにより、開錠させることができる。また、上記キーカードは、開錠状態からキーカードを引っ張ってスライダをもとの位置に復帰させると、ユニットから取り出すことが可能になり、この間にロック部材がシャックルに係合して施錠状態となる。
【０００３】
特許文献２に記載の南京錠の場合、適正なキーカードを挿入してスライダ(作動体)を上昇させると、スライダに連結した作動板が上昇し、作動板の先端に形成した斜面状のカム面とロック部材(閂)のカム面の作用によりロック部材が横方向に移動する。その結果、シャックルの先端側面に形成した係合凹部(切欠部)からロック部材の先端部が抜き出され、シャックルの先端をケースの受孔から引き出すことにより、シャックルが自由になって開錠状態になる。シャックルの先端を受孔に押し込み、キーカードを引っ張ると、スライダを介して作動板が降下し、ロック部材はばねに押されて上記受孔方向に突出し、ロック部材の先端がシャックルの係合凹部に係合して施錠状態になるとともにスライダがもとの位置に復帰するので、キーカードをユニットから取り出すことができる。しかし、特許文献２に示されている上記南京錠は、シャックルを開錠位置に引き出したとき、シャックルの先端が抜け出した後の上記受孔の空間にロック部材(閂)の先端部が対向している。したがって、このロック部材(閂)の先端部は、シャックルが施錠位置に戻らなくても受孔内に突出可能である。そのため、シャックルが開錠位置にある場合でも、ロック部材を移動させてスライダをもとに位置に戻すことにより上記キーカードをユニットから取り出すことが可能である。そのような事態が生じると、施錠していないのに、キーカードが手許にあるという事実から、あたかも施錠したという誤認を生じるおそれがあり、安全性に乏しい
【０００４】
また、上記特許文献２に記載の南京錠において、コードカードを交換するためカード式錠ユニットは、シャックルが開錠位置にあるとき、工具を用いてケースから取り出せるよう止具で固定されている。しかし、この止具は小さな六角穴付き止ビスであり、ユニットを固定する際やユニットを取り出す際、その都度六角レンチ等の専用の工具で止ビスを回転させる必要があるから、取り付け、取り外しが面倒である。
【先行技術文献】
【特許文献】
【０００５】
【特許文献１】特許第２９１１１１９号公報(段落０００４、０００５、図１１)
【特許文献２】特開２００４−３０８３１０号公報（特許請求の範囲、段落００２４、００２６、図３）
【発明の概要】
【発明が解決しようとする課題】
【０００６】
本発明の解決課題は、カード式錠ユニットを用いてキーカードにより施錠、開錠する形式の南京錠において、施錠、開錠の際に誤作動が生じないようにするとともにコードカードを交換するときに容易に上記ユニットをケースから脱着できるようにした南京錠を提供することである。
【課題を解決するための手段】
【０００７】
本発明によれば、シャックルの基端部を受け入れる基端受孔とシャックルの先端部を受け入れる先端受孔を有するケース内に、カード式錠ユニットを組み込んだ錠本体を脱着可能に挿入し、該錠本体に上記基端受孔と先端受孔に対向するボール収納孔を形成し、該ボール収納孔内に外方に移動したとき上記シャックル基端部及びシャックル先端部に形成した係合凹部に係合し内方に移動したとき該係合凹部から抜け出すようボールを転動可能に収納し、上記ボール間に上記ボールを外方に押圧する突出カム面とボールが内方に移動することを許容する引込カム面を有するロックプレートを移動可能に設け、上記カード式錠ユニットに適正なキーカードが差し込まれた際移動するスライダに上記ロックプレートを連結し、上記ボールがロックプレートの引込カム面にあるとき該ボールが当接して外方に移動されないよう上記シャックルの基端部に当接面を設けたことを特徴とする南京錠が提供され、上記課題が解決される。上記ロックプレートのカム面はカード式錠ユニットの下方からキーカードを挿入してスライダを押し込んだ際上昇して上記引込カム面がボールに対向し、キーカードを下方に引っ張りスライダが引き戻されたとき降下して上記突出カム面がボールに対向してボールを外方に押圧するよう上記引込カム面と突出カム面がロックプレートの移動方向に沿って連続して設けられている。
【０００８】
本発明によれば、上記ケースに係止部を形成し、上記錠本体に該係止部に係合可能な係止爪を一端に設けたラッチ杆を移動可能に設け、錠本体をケースに挿入した際上記係止爪が上記係止部に係合するよう該ラッチ杆を付勢し、ラッチ杆の他端に上記シャックルの当接面に対向するストッパー面を設け、該シャックルにシャックルが開錠位置に移動した際上記ストッパー面を受け入れる受け面を形成し、上記シャックルが開錠位置に移動したとき上記係止爪をケースの係止部から離れる方向に上記ラッチ杆を移動可能なラッチ操作片を上記錠本体に設けたことを特徴とする上記南京錠が提供される。
【発明の効果】
【０００９】
本発明は上記のように構成され、シャックルの基端部を受け入れる基端受孔とシャックルの先端部を受け入れる先端受孔を有するケース内に、カード式錠ユニットを組み込んだ錠本体を脱着可能に挿入し、該錠本体に上記基端受孔と先端受孔に対向するボール収納孔を形成し、該ボール収納孔内に外方に移動したとき上記シャックル基端部及びシャックル先端部に形成した係合凹部に係合し内方に移動したとき該係合凹部から抜け出すようボールを転動可能に収納し、上記ボール間に上記ボールを外方に押圧する突出カム面とボールが内方に移動することを許容する引込カム面を有するロックプレートを移動可能に設け、上記カード式錠ユニットに適正なキーカードが差し込まれた際移動するスライダに上記ロックプレートを連結し、上記ボールがロックプレートの引込カム面にあるとき該ボールが当接して外方に移動されないよう上記シャックルの基端部に当接面を設けたから、適正なキーカードをユニットに挿入して押し込むと、スライダを介してロックプレートが移動し、ロックプレートの引込カム面がボールに対向し、ボールをシャックルの係合凹部から脱出させることができ、シャックルをケースから引き出して開錠することができる。一方、開錠状態からシャックルをケースの受孔に押し込み、キーカードを引っ張ってスライダを介してロックプレートをもとの位置に復帰させると、ロックプレートの突出カム面によりボールは外方に押し出されシャックルの係合凹部に係合し、シャックルを施錠することができる。
【００１０】
本発明の南京錠では、上記開錠状態において、ボールは、側面がシャックルの基端部に形成した当接面に当たっているので、外方に移動することができない。そのため、開錠状態で上記キーカードをユニットから引き出そうとしても、上記ロックプレートの突出カム面の端部がボールに当たり、ロックプレート及び該ロックプレートに連結したスライダを移動させることができないから、キーカードをユニットから取り出すことができない。したがって、シャックルが開錠位置にあるのに、キーカードを取り出して施錠したと誤解させるようなおそれがない。  
【００１１】
また、上記ケースに係止部を形成し、該係止部に係合可能な係止爪を一端に設けたラッチ杆を上記錠本体に設け、錠本体をケースに挿入した際上記係止爪が上記係止部に係合するよう上記ラッチ杆を付勢し、ラッチ杆の他端に上記シャックルの当接面に対向するストッパー面を設け、上記シャックルが開錠位置に移動した際上記ストッパー面を受け入れる受け面をシャックルに形成し、該シャックルが開錠位置に移動したとき上記係止爪をケースの係止部から離れる方向に上記ラッチ杆を移動可能なラッチ操作片を上記錠本体に設けると、錠本体をケースに挿入するだけで、錠本体の係止爪がケースの係止部に係合して錠本体を簡単にケース内に保持させることができる。そして、コードカードを交換する場合は、開錠状態のときラッチ操作片を操作すると、ラッチ杆はストッパー面がシャックルの受け面に対向して移動可能であるから、係止爪が係止部から外れ、錠本体をケースから取り出し、ユニット内に差し込んだコードカードを交換することができる。
【図面の簡単な説明】
【００１２】
【図１】本発明の一実施例を示す斜視図。
【図２】一部を断面した分解斜視図。
【図３】カード式錠ユニットのボール、ピン、ばね等の内部機構を省略した断面図。
【図４】施錠状態の説明図。
【図５】開錠状態の説明図。
【図６】ラッチ杆部分を示す説明図。
【図７】錠本体をケースに挿入するときの説明図。
【図８】ラッチ操作片を回動させた状態の説明図。
【発明を実施するための形態】
【００１３】
図１〜図３は本発明の一実施例を示し、本発明の南京錠は、図２に示すように、下面が開放された略箱型のケース１と、該ケース内に脱着可能に挿入される錠本体２を具備している。ケース１には、基端部４が先端部５よりも長い略Ｕ字状のシャックル３が出没可能に設けられ、該シャックル３の基端部４を受け入れる基端受孔６と、シャックル３の先端部５を受け入れる先端受孔７が形成されている。該シャックルの基端部４の端部、図において下端にはストッパーリング８が設けられており、該ストッパーリング８がケース１に設けたブラケット９に当たる位置まで引き出すことができるよう該ブラケット９の孔１０に挿通している。なお、シャックル３を引き出し方向にばねで付勢してもよい(図示略)。
【００１４】
図２に示すように、上記シャックル３の基端部４及び先端部５の内側面には、シャックル４の外径の一部を凹ませた係合凹部１１がそれぞれ設けられている。基端部４の係合凹部１１の下端側にはシャックルの外径と同じ外径の当接面１２が形成され、さらに該当接面１２よりも下端側には当接面部分の外径より小径の受け面１３が設けられている。
【００１５】
上記錠本体２は、上記ケース１にほぼ内接する形状に形成され、内部にカード式錠ユニット１４が組み込まれている。上記カード式錠ユニット１４は、例えば特許文献２に記載されているように公知の構成であるから、その構造についての説明は詳述しないが、該ユニットは、キーカード１５の挿入口を錠本体の底部側に有し、該挿入口と反対側の内方の図において上方の挿入口からコードカード１５ａを挿入してユニット内にコードカード１５ａをセットする。そして、コードカードに対応する適正なキーカードが挿入されたとき、ユニット内のスライダ１６が移動可能となり、さらにキーカード１５を押し込むことにより、該スライダ１６は、図に示す実施例では上方に移動する。キーカード１５を抜き出す方向に引っ張ると、スライダ１６は図に示す実施例では下方に移動して元の位置に戻り、さらに引っ張るとユニット１４からキーカード１５を取り出すことができる。
【００１６】
図４、図５を参照し、上記錠本体２には、上記ケースの基端受孔６と先端受孔７にそれぞれ対向するよう図において横方向に延びるボール収納孔１７が形成されている。このボール収納孔１７にはボール１８が転動可能に収納され、該ボール１８は外方に移動したとき、上記シャックル３の基端部４と先端部５に形成した係合凹部１１にそれぞれ係合する。上記外方に移動した位置から内方にボール４８が移動すると、ボール１８が該係合凹部１１から抜け出す。なお、該ボール１８の一側面は上記各受孔６、７に臨んでいるが、ボール収納孔１７の開口端を少し縮径等することにより脱落しないように保持されている。
【００１７】
上記ボール１８間には、ボールの移動方向と交差する方向に、図においては上下方向に移動可能にロックプレート１９が設けられている。該ロックプレート１９は、ボール１８を外方に押圧する突出カム面２０と、ボール１８が内方に移動することを許容する引込カム面２１が、ロックプレート１８の移動方向に沿って、図に示す実施例では上下方向に曲面を介して連続して設けられている。このロックプレート１９は上記ユニット１４のスライダ１６に連結されており、スライダ１６とともに上下に移動する。なお、上記引込カム面２１の深さは、シャックルが開錠位置にあって該引込カム面２１にボール１８が入り込んでいるときは、ロックプレート１９を下方に移動して突出カム面２０によりボール１８を外方に押し出そうとしてもボール１８の側面がシャックル３の当接面１２に当たってボール１８がその位置に停止し、シャックルが施錠位置にあってボール１８がシャックル３の係合凹部１１に対向しているときは、突出カム面２０により押し出されて外方に移動し係合凹部１１にボール１８が係合するような深さである。
【００１８】
上記の構成により、適正なキーカード１５を挿入してユニット１４のスライダ１６を介してロックプレート１９を上方に移動させると、図５に示すように、引込カム面２１にボール１８が対応して該ボール１８は内方に移動し、係合凹部１１から抜け出し、シャックル３は自由になってケース１から引き出すことができ、開錠する。また、開錠状態からシャックル３をケース１内に押し戻し、キーカード１５を引っ張ってスライダ１６を下降させると、図４に示すように、ロックプレート１９の突出カム面２０によりボール１８は外方に押し出され、シャックル３の係合凹部１１に係合し、施錠される。
【００１９】
上記のように、開錠位置にシャックル３があるとき、シャックル３をケース１内に押し戻さないでキーカード１５を引き抜こうとすると、スライダ１６に連結しているロックプレート１９の突出カム面２０がボール１８に当たるが、該ボール１８の側面がシャックル３の当接面１２に当たっているからボールは外方に移動しない(図４参照)。したがって、スライダ１６をもとに位置に復帰させることができないため、キーカード１５をユニットから取り出すことはできない。このように、確実にシャックル３をケース１内に押し戻して施錠状態にしなければキーカードを抜き出すことができないので、施錠したと誤解するような誤動作を防止することができる。
【００２０】
上記ケース１の内部には、図２に示すように、係止部２２が設けられている。錠本体２には、図６において、横方向に移動可能にラッチ杆２３が設けられており、該ラッチ杆２３の一端には上記係止部２２に係合可能で傾斜面２４を有する係止爪２５が形成されている。該ラッチ杆２３の長さは、係止爪２５が係止部２２に係合している状態では、他端に設けたストッパー面２６が施錠位置にある上記シャックル３の上記当接面１２に対向し、かつ上記シャックル３が開錠位置にあるときは、該ストッパー面２６がシャックル３の受け面１３に入り込んで上記係止爪２５が係止部２２から離脱する方向にラッチ杆２３を移動させることができる長さである。このラッチ杆２３は、錠本体２をケース１に挿入する際、上記傾斜面２４に案内されて上記係止爪２５が係止部２２に係合する方向に、ばね２７で付勢されている。また、錠本体２の上面には、内方ばね２８を設けてあり、該内方ばね２８は錠本体２をケース１に挿入した際、ケースの頂部内面に当たって圧縮され、錠本体を取り出す際の押出力を蓄積する。
【００２１】
上記錠本体２には、上記シャックル３が開錠位置に移動したとき、上記係止爪２５が係止部２２から離れる方向にラッチ杆２３を移動させるラッチ操作片２９が設けられている。図に示すラッチ操作片２９は、中心部を錠本体２に枢着３０した略ベルクランク状に形成され、一方の部片３１の先端がラッチ杆２３の切欠き部３２に係合し、他方の部片３３は錠本体２の底部に沿って延びている。該錠本体２の底部には上記部片３３に対向して孔３４を設けてある。シャックル３が開錠位置にあるとき、該孔３４に棒状の適宜の部材(図示略)を差し込んで上記部片３３を押し上げるとラッチ操作片２９は回動し、ラッチ杆２３は後退して係止爪２５を係止部２２から外すことができる。
【００２２】
上記のようにラッチ杆２３はばね２７で付勢されているので、図７に示すように、錠本体２をケース１に押し込むと、傾斜面２４に案内されて係止爪２５はパチンと係止部２２に係合して簡単に錠本体２をケース１内に保持することができる。また、開錠状態のとき、図８に示すように、適宜の棒状部材を孔３４から差し込んでラッチ操作片２９を回動させると、ラッチ杆２３が移動して係止爪２５が外れ、内方ばね２８の押出力により錠本体２はケース１から押し出される。
【符号の説明】
【００２３】
１    ケース
２    錠本体
３    シャックル
１１  係合凹部
１２  当接面
１３  受け面
１４  カード式錠ユニット
１５  キーカード
１８  ボール
１９  ロックプレート
２０  突出カム面
２１  引込カム面
２２  係止部
２３  ラッチ杆
２５  係止爪
２９  ラッチ操作片
【図１】
2015063874.tif 000003
【図２】
2015063874.tif 000004
【図３】
2015063874.tif 000005
【図４】
2015063874.tif 000006
【図５】
2015063874.tif 000007
【図６】
2015063874.tif 000008
【図７】
2015063874.tif 000009
【図８】
2015063874.tif 000010